(57)【要約】【課題】階層的にコード化された変調における電力節減【解決手段】階層的にコード化された変調システムの無線通信装置は、ベース・レイヤー情報のデコーディングの間に生成されたエラー制御メカニズムを用いてエンハンスメント・レイヤー情報の成功的な復調の確率を予測することができる。ベース・レイヤーの復調性能は、エンハンスメント・レイヤーの復調性能と相関している。受信機は、予測された成功確率に部分的に基づいて時間的に相関するエンハンスメント・レイヤーのデータの復調を試みるかどうかを決定する。受信機がエンハンスメント・レイヤーを復調しないことを決定すれば、受信機は、エンハンスメント・レイヤーの復調器の電力をダウンさせ、或いは、エンハンスメント・レイヤーの復調器で消費される電力を最小化することができる。【選択図】      図４
2008535409.tif 000002
【特許請求の範囲】
【請求項１】
デコーダを制御する方法であって、
ベース・レイヤーのデータ及びエンハンスメント・レイヤーのデータを有する階層的にコード化された信号を受信することと、
前記階層的にコード化された信号からベース・レイヤーのデータをデコードすることと、
前記ベース・レイヤーのデータのデコーディングに少なくとも部分的に基づいて信号品質計量を決定することと、
前記信号品質計量に基づいてエンハンスメント・レイヤーのデコーダを制御することと、
を具備する方法。
【請求項２】
前記階層的にコード化された信号を受信することは、
無線通信リンクを介して、変調されて階層的にコード化された信号を受信することと、
前記変調されて階層的にコード化された信号を復調して、階層的にコード化されたシンボルを回復することと、
を具備する請求項１に記載の方法。
【請求項３】
前記階層的にコード化された信号を受信することは、
階層的にコード化されたデータを有する直交周波数分割多重アクセス（ＯＦＤＭＡ）シンボルを受信することで構成する請求項１に記載の方法。
【請求項４】
前記階層的にコード化された信号を受信することは、
四位相偏移変調（ＱＰＳＫ）上のＱＰＳＫ階層的にコード化された信号を受信することで構成する請求項１に記載の方法。
【請求項５】
前記階層的にコード化された信号を受信することは、
１６直交振幅変調（ＱＡＭ）の階層的にコード化された信号を受信することで構成する請求項１に記載の方法。
【請求項６】
前記階層的にコード化された信号からベース・レイヤーのデータをデコードすることは、
前記階層的にコード化された信号をビタビデコーディングして、ベース・レイヤーのデータを回復することで構成する請求項１に記載の方法。
【請求項７】
前記階層的にコード化された信号からベース・レイヤーのデータをデコードすることは、
前記階層的にコード化された信号をターボデコーディングして、ベース・レイヤーのデータを回復することで構成する請求項１に記載の方法。
【請求項８】
前記階層的にコード化された信号からベース・レイヤーのデータをデコードすることは、
前記階層的にコード化された信号をブロックデコーディングして、ベース・レイヤーのデータを回復することで構成する請求項１に記載の方法。
【請求項９】
前記信号品質計量を決定することは、
エンハンスメント・レイヤーのデータのデコーディングが成功的である確率を決定することで構成する請求項１に記載の方法。
【請求項１０】
前記信号品質計量を決定することは、
ベース・レイヤー・ビタビデコーダから訂正のレイトを決定することで構成する請求項１に記載の方法。
【請求項１１】
前記信号品質計量を決定することは、
ベース・レイヤー・ターボデコーダからの複数のデコードされたデータからエネルギー計量を決定することで構成する請求項１に記載の方法。
【請求項１２】
前記信号品質計量を決定することは、
ベース・レイヤー・ターボデコーダからの複数のデコードされたデータから非コードのビットエラーレイト（ＢＥＲ）を決定することで構成する請求項１に記載の方法。
【請求項１３】
前記信号品質計量を決定することは、
ベース・レイヤー・ターボデコーダの通過数を決定することで構成する請求項１に記載の方法。
【請求項１４】
前記信号品質計量を決定することは、
ベース・レイヤーのデコーダで失敗した巡回冗長符号（ＣＲＣ）の有効化の数に少なくとも部分的に基づいて計量を決定することで構成する請求項１に記載の方法。
【請求項１５】
前記信号品質計量を決定することは、
ベース・レイヤー信号成分に対するエンハンスメント・レイヤー信号成分の電力の割合に基づいて品質計量を決定することで構成する請求項１に記載の方法。
【請求項１６】
前記信号品質計量を決定することは、
システムコード化されたベース・レイヤーのデータのブロックデコーディングを実行するかどうかを決定することで構成する請求項１に記載の方法。
【請求項１７】
前記エンハンスメント・レイヤーのデコーダを制御することは、
前記信号品質計量を所定の閾値と比較することと、
前記信号品質計量が前記所定の閾値を超過しない場合は、前記エンハンスメント・レイヤーのデコーダの動作を抑制することと、
を具備する請求項１に記載の方法。
【請求項１８】
前記所定の閾値は、適応的閾値を具備する請求項１７に記載の方法。
【請求項１９】
前記所定の閾値は、前記階層的にコード化された信号のコンテンツ・タイプに少なくとも部分的に基づいて決定される請求項１７に記載の方法。
【請求項２０】
前記エンハンスメント・レイヤーのデコーダの動作を抑制することは、
前記エンハンスメント・レイヤーのデコーダの少なくとも一部分を電力遮断することで構成する請求項１７に記載の方法。
【請求項２１】
前記エンハンスメント・レイヤーのデコーダの動作を抑制することは、
前記エンハンスメント・レイヤーのデコーダに対するクロック信号を抑制することで構成する請求項１７に記載の方法。
【請求項２２】
デコーダを制御する方法であって、
ベース・レイヤーのデータ及びエンハンスメント・レイヤーのデータを有する階層的にコード化された信号により変調された変調信号を受信することと、
前記変調信号を復調して前記階層的にコード化された信号を回復することと、
前記階層的にコード化された信号に少なくとも部分的に基づいて信号品質計量を決定することと、
前記信号品質計量に基づいてエンハンスメント・レイヤーのデコーダを制御することと、
を具備する方法。
【請求項２３】
前記信号品質計量を決定することは、
前記階層的にコード化された信号の同相及び直交信号成分の大きさに部分的に基づいて信号計量を決定することで構成する請求項２２に記載の方法。
【請求項２４】
前記信号品質計量を決定することは、
前記階層的にコード化された信号の同相及び直交信号成分の割合に部分的に基づいて信号計量を決定することで構成する請求項２２に記載の方法。
【請求項２５】
ベース・レイヤーのデータ及びエンハンスメント・レイヤーのデータを有する階層的にコード化された信号を受信することと、
ベース・レイヤーのデコーダを用いて前記階層的にコード化された信号からベース・レイヤーのデータをデコードすることと、
前記ベース・レイヤーのデコーダのエラー制御メカニズムに部分的に基づいて信号品質計量を決定することと、
前記信号品質計量を所定の閾値と比較することと、
前記信号品質計量が前記所定の閾値を超過しない場合は、エンハンスメント・レイヤーのデコーダを抑制してエンハンスメント・レイヤーのデータのデコーディングを制御することと、
を具備するデコーダの制御方法。
【請求項２６】
１つ以上のプロセッサが使用可能な命令語を格納するように構成された１つ以上の格納装置であって、
１つ以上のプロセッサにより実行されるとき、
ベース・レイヤーのデータ及びエンハンスメント・レイヤーのデータを有する階層的にコード化された信号を受信することと、
前記階層的にコード化された信号からベース・レイヤーのデータをデコードすることと、
前記ベース・レイヤーのデータをデコードすることに少なくとも部分的に基づいて信号品質計量を決定することと、
前記信号品質計量に基づいてエンハンスメント・レイヤーのデコーダを制御することと、
を具備する方法を実行する格納装置。
【請求項２７】
階層的にコード化された信号をデコードする装置であって、
前記階層的にコード化された信号を受信するように構成された受信機モジュールと、
前記階層的にコード化された信号からベース・レイヤーのデータをデコードするように構成されたベース・レイヤーのデコーダと、
前記ベース・レイヤーのデコーダにより実行されるデコーディング動作に部分的に基づいて信号品質計量を決定するように構成された信号品質モジュールと、
前記信号品質計量に部分的に基づいて前記階層的にコード化された信号からエンハンスメント・レイヤーのデータを選択的にデコードするように構成されたエンハンスメント・レイヤーのデコーダと、
を具備する装置。
【請求項２８】
前記ベース・レイヤーのデコーダは、ビタビデコーダを具備する請求項２７に記載の装置。
【請求項２９】
前記ベース・レイヤーのデコーダは、ターボデコーダを具備する請求項２７に記載の装置。
【請求項３０】
前記ベース・レイヤーのデコーダは、ブロックデコーダを具備する請求項２７に記載の装置。
【請求項３１】
前記信号品質計量は、ベース・レイヤー・ビタビデコーダの訂正レイトを決定するように構成されている請求項２７に記載の装置。
【請求項３２】
前記信号品質計量は、ベース・レイヤー・ターボデコーダからのデコードされた出力及び対応するログ可能性の割合に基づいてエネルギー計量を決定するように構成されている請求項２７に記載の装置。
【請求項３３】
前記信号品質計量は、ベース・レイヤー・ターボデコーダからデコードされた出力に基づいて、非コードのビットエラーレイト（ＢＥＲ）を決定するように構成されている請求項２７に記載の装置。
【請求項３４】
前記信号品質計量は、ベース・レイヤー・ターボデコーダの通過数を決定するように構成されている請求項２７に記載の装置。
【請求項３５】
前記信号品質計量は、前記ベース・レイヤーのデコーダでブロックデコーダの活性化を決定するように構成されている請求項２７に記載の装置。
【請求項３６】
前記エンハンスメント・レイヤーのデコーダは、前記ベース・レイヤーのデータと時間的に相関するエンハンスメント・レイヤーのデータを選択的にデコードするように構成されている請求項２７に記載の装置。
【請求項３７】
前記ベース・レイヤーのデータと時間的に相関する前記エンハンスメント・レイヤーのデータは、少なくとも１つの次に受信される階層的にコード化されたデータパケットを具備する請求項３６に記載の装置。
【請求項３８】
前記信号品質計量が所定の閾値より小さい場合、前記エンハンスメント・レイヤーのデコーダが抑制されるように構成されている請求項２７に記載の装置。
【請求項３９】
前記所定の閾値は、固定された閾値を具備する請求項３８に記載の装置。
【請求項４０】
前記所定の閾値は、適応的閾値を具備する請求項３８に記載の装置。
【請求項４１】
前記所定の閾値は、前記階層的にコード化された信号のコンテンツ・タイプに少なくとも部分的に基づいて決定される請求項３８に記載の装置。
【請求項４２】
前記エンハンスメント・レイヤーのデコーダの少なくとも一部分は、前記信号品質計量が所定の閾値より小さい場合、電力が遮断されるように構成されている請求項２７に記載の装置。
【請求項４３】
階層的にコード化された変調信号を受信するように構成されている受信機モジュールと、
前記階層的にコード化された変調信号を復調して階層的にコード化されたシンボルを回復するように構成されている復調器と、
前記階層的にコード化されたシンボルからベース・レイヤーのデータをデコードするように構成されているベース・レイヤーのデコーダと、
前記ベース・レイヤーのデコーダにより実行されるデコーディング動作に部分的に基づいて信号品質計量を決定するように構成されている信号品質モジュールと、
前記信号品質計量に部分的に基づいて前記ベース・レイヤーのデータに時間的に相関するエンハンスメント・レイヤーのデータのデコーディングを選択的に抑制するように構成されているエンハンスメント・レイヤーのデコーダと、を具備する階層的にコード化された信号をデコードする装置。
【請求項４４】
階層的にコード化された信号をデコードする装置であって、
ベース・レイヤー及びエンハンスメント・レイヤーのデータを有する階層的にコード化された信号を受信する手段と、
前記階層的にコード化された信号からベース・レイヤーのデータをデコードする手段と、
前記ベース・レイヤーのデータをデコードする手段の出力に少なくとも部分的に基づいて信号品質計量を決定する手段と、
前記信号品質計量に少なくとも部分的に基づいてエンハンスメント・レイヤーのデコーダを選択的に抑制する手段と、
を具備する装置。
【請求項４５】
前記階層的にコード化された信号を受信する手段は、
無線通信リンクを介して、変調されて階層的にコード化された信号を受信する手段と、
前記変調されて階層的にコード化された信号を復調して階層的にコード化されたシンボルを回復する手段と、を具備する請求項４４に記載の装置。
【請求項４６】
前記階層的にコード化された信号を受信する手段は、
階層的にコード化されたデータを有する直交周波数分割アクセス（ＯＦＤＭＡ）シンボルを受信する手段を具備する請求項４４に記載の装置。
【請求項４７】
前記階層的にコード化された信号を受信する手段は、
四位相偏移変調（ＱＰＳＫ）上のＱＰＳＫ階層的にコード化された信号を受信する手段を具備する請求項４４に記載の装置。
【請求項４８】
前記階層的にコード化された信号を受信する手段は、
１６直交振幅変調（ＱＡＭ）の階層的にコード化された信号を受信する手段を具備する請求項４４に記載の装置。
【請求項４９】
前記階層的にコード化された信号からベース・レイヤーのデータをデコードする手段は、
前記階層的にコード化された信号をビタビデコーディングして前記ベース・レイヤーのデータを回復する手段を具備する請求項４４に記載の装置。
【請求項５０】
前記階層的にコード化された信号からベース・レイヤーのデータをデコードする手段は、
前記階層的にコード化された信号をターボデコーディングして前記ベース・レイヤーのデータを回復する手段を具備する請求項４４に記載の装置。
【請求項５１】
方法を実施する手段を具現化するコンピュータ読み取り可能媒体であって、
前記方法は、
ベース・レイヤーのデータ及びエンハンスメント・レイヤーのデータを有する階層的にコード化された信号を受信することと、
前記階層的にコード化された信号からベース・レイヤーのデータをデコードすることと、
前記ベース・レイヤーのデータのデコーディングに少なくとも部分的に基づいて信号品質計量を決定することと、
前記信号品質計量に基づいてエンハンスメント・レイヤーのデコーダを制御することと、
を具備するコンピュータ読み取り可能媒体。
【請求項５２】
方法を実施するために構成された少なくとも１つのプロセッサであって、
前記方法は、
ベース・レイヤーのデータ及びエンハンスメント・レイヤーのデータを有する階層的にコード化された信号を受信することと、
前記階層的にコード化された信号からベース・レイヤーのデータをデコードすることと、
前記ベース・レイヤーのデータのデコーディングに少なくとも部分的に基づいて信号品質計量を決定することと、
前記信号品質計量に基づいてエンハンスメント・レイヤーのデコーダを制御することと、
を具備するプロセッサ。
【発明の詳細な説明】
【技術分野】
【０００１】
本発明は、無線通信の分野に関するものである。より詳細には、本開示は、階層的にコード化された変調システムで使用される電力節減方法及び装置に関する。
【背景技術】
【０００２】
無線通信システムでは、通信システムに接続される装置の間で情報を迅速に交換できるようにするため、データの帯域幅を増加させる努力が継続的になされている。装置に使用可能なデータの帯域幅を制限する変数の一部は、装置に割り当てられたスペクトルの帯域幅及び装置をリンクするチャネルの品質を含む。
【０００３】
無線通信システムにおいて通信に割り当てられるスペクトルの帯域幅は、通常、あらかじめ決定されて変動がない。しかし、チャネルの品質は、無線通信装置によって大きく変動することがある。通信リンクの装置のうちの少なくとも１つが移動装置である無線通信システムにおいて、チャネルの品質は、装置の相対的な位置に基づいて変動する。
【０００４】
オブジェクトの配置と交合、及び装置間の領域における変動は、実質的に、チャネルの品質を低下させるマルチパス効果に寄与する可能性がある。通信装置の間の距離は、考慮すべき信号の減衰をもたらす。
【０００５】
無線通信システムは、多様な手法を用いてデータの帯域幅に対する様々な制約を補償する。無線通信システムは、複数のエンコード手法を統合することもでき、チャネルにより支援されるデータレイトに基づいてエンコード手法を選択することもできる。このようなシステムで通信装置は、チャネルの能力に基づいてデータレイトを調整することも可能である。このような通信システムは、複数のポイント・ツー・ポイント・リンクに有利に作用する場合もあるが、単一の伝送機が複数の受信機に実質的に同一なデータを提供する分散放送システムではあまり理想的ではない場合もある。
【０００６】
他の無線通信システムは、多重データストリームが同時に伝送される階層的変調を取り入れることもできる。多重データストリームは、ほぼすべての受信機の動作条件で成功的な受信が可能な強力な通信リンクであるベース・レイヤーを含むことができる。多重データストリームはまた、ベース・レイヤーのデータレイトより低いか、同程度であるか、あるいは高いデータレイトで放送されるエンハンスメント・レイヤーを含むことができる。エンハンスメント・レイヤーを介する通信は、ベース・レイヤーと比較して受信機でより高い信号品質を要求する場合もある。よって、エンハンスメント・レイヤーがチャネルの品質における変動により敏感になる可能性がある。
【０００７】
階層的変調システムにおいて、受信機は、通常、基礎レベルで通信する能力が保証され、通常、ベース・レイヤーでデータを復調することができる。エンハンスメント・レイヤーを支援するに充分なチャネル条件で、受信機はまた、エンハンスメント・レイヤーで変調された追加データを復調することができる。
【０００８】
無線通信システムが該データを伝送する方式と無関係に、システム内で動作する移動装置は、バッテリー電力で動作する。移動端末装置は、受信信号を受信して復調し、伝送信号を変調して放送するのに充分なバッテリー電力を持っている場合は、他の装置との通信を維持することができる。
【０００９】
階層的にコード化された変調システムにおける装置は、ベース・レイヤー情報のデコーディングの間に生成されたエラー制御メカニズムを用いて、エンハンスメント・レイヤー情報の復調が成功する確率を予測することができる。ベース・レイヤーの復調の劣る性能は、エンハンスメント・レイヤーの復調の劣る性能と相関がある。受信機は、予測される成功確率に部分的に基づいて時間的に相関するエンハンスメント・レイヤーのデータの復調を試みるかどうかを決定することができる。受信機がエンハンスメント・レイヤーを復調しないことを決定する場合は、受信機は、エンハンスメント・レイヤーの復調器の電力をダウンし、あるいは、エンハンスメント・レイヤーの復調器で消費される電力を最小化することができる。
【発明の開示】
【００１０】
本開示は、ベース・レイヤーのデータ及びエンハンスメント・レイヤーのデータを有する階層的にコード化された信号を受信することと、階層的にコード化された信号からベース・レイヤーのデータをデコードすることと、ベース・レイヤーのデータのデコーディングに少なくとも部分的に基づいて信号品質計量を決定することと、信号品質計量に基づいてエンハンスメント・レイヤーのデコーダを制御することと、を含むデータデコーダの制御方法を含む。
【００１１】
また、本開示は、ベース・レイヤーのデータ及びエンハンスメント・レイヤーのデータを有する階層的にコード化された信号を受信することと、ベース・レイヤーのデコーダを使用して、階層的にコード化された信号からベース・レイヤーのデータをデコードすることと、ベース・レイヤーのデコーダのエラー制御メカニズムに部分的に基づいて信号品質計量を決定することと、信号品質計量を所定の閾値と比較することと、信号品質計量が所定の閾値を超過しない場合は、エンハンスメント・レイヤーのデコーダを抑制してエンハンスメント・レイヤーのデータのデコーディングを制御することと、を含むデータデコーダの制御方法を含む。
【００１２】
また、本開示は、階層的にコード化された信号を受信するように構成されている受信機モジュールと、階層的にコード化された信号からベース・レイヤーのデータをデコードするように構成されているベース・レイヤーのデコーダと、ベース・レイヤーのデコーダにより行われるデコーディング動作に部分的に基づいて信号品質計量を決定するように構成されている信号品質モジュールと、信号品質計量に部分的に基づいて、階層的にコード化された信号からエンハンスメント・レイヤーのデータを選択的にデコードするように構成されているエンハンスメント・レイヤーのデコーダとを含む階層的コーディング信号デコーディング装置を含む。
【００１３】
また、本開示は、階層的にコード化された変調信号を受信するように構成されている受信機モジュールと、階層的にコード化された変調信号を復調して階層的にコード化されたシンボルを回復するように構成されている復調器と、階層的にコード化されたシンボルからベース・レイヤーのデータをデコードするように構成されているベース・レイヤーのデコーダと、ベース・レイヤーのデコーダにより行われるデコーディング動作に部分的に基づいて信号品質計量を決定するように構成されている信号品質モジュールと、信号品質計量に部分的に基づいてベース・レイヤーのデータに時間的に相関するエンハンスメント・レイヤーのデータのデコーディングを選択的に抑制するように構成されているエンハンスメント・レイヤーのデコーダとを含む階層的コーディング信号デコーディング装置を含む。
【００１４】
本開示による実施形態の特徴、目的、及び利点は、図面を参照して説明する詳細な説明により明確になる。ここで、類似した構成要素については、類似の符号を付けている。
【発明を実施するための最良の形態】
【００１５】
階層的変調を行う通信システムの受信機は、ベース・レイヤー信号の品質に基づいてエンハンスメント・レイヤーを選択的にデコードすることによって電力を保存することができる。受信機は、ベース・レイヤーを継続的にデコーディングし、ベース・レイヤーのデコーディングの間に生成されるエラーレイト計量（ｍｅｔｒｉｃ）を用いて、エンハンスメント・レイヤーを成功的にデコードする確率を決定し、あるいは予測可能に構成されている。さらに、受信機は、デコーディングが成功的である確率に部分的に基づいて、エンハンスメント・レイヤーをデコードするかどうかを決定することができる。エンハンスメント・レイヤーを成功的にデコードする確率が所定の閾値より小さい場合は、受信機は受信されたエンハンスメント・レイヤー情報のデコーディングを試みることなく脱落させることができる。所定の閾値は固定閾値であってもよいが、可変または適応的閾値であってもよい。可変閾値は、例えば、以前のデコードされたエンハンスメント・レイヤー情報のエラーレイトに基づいて、または、受信される情報のタイプ、カテゴリー、及び分類に基づいて調整されることができる。例えば、ストリーミングビデオを受信する受信機は、実行可能なプログラムコードを受信する同一の受信機より高いビットエラーレイトで満足に動作することも可能である。よって、閾値は受信される内容に基づいて決定することができる。
【００１６】
さらに、使用者には、閾値を調整したり、エンハンスメント・レイヤーを完全に無能化する選択を与えられることもある。情報を脱落させることによって受信機は、デコーディング過程中に通常消費されるエネルギーを保存する。低い成功確率に基づく場合、エンハンスメント・レイヤーのデコーディングは失敗しやすく、デコーディング動作を試みてもデータを回復することができない結果をもたらす。よって、受信機は、処理量の面で効率よく損失の発生を防止する方式で電力を保存するように動作する。
【００１７】
また、受信機は、エンハンスメント・レイヤーを成功的にデコードする確率が低いものに基づいて、時間的に相関する他のエンハンスメント・レイヤーの情報のデコーディングを抑制するように構成することもできる。例えば、受信機は、成功的なデコーディングの確率が低いという決定に基づいて、所定の数や所定の期間中に未来の受信されるエンハンスメント・レイヤー情報のデコーディングを抑制するように構成されることができる。よって、受信機は、データのフレームやスーパーフレーム、または他のデータサイズのようなエンハンスメント・レイヤーの情報の所定数のパケットのデコーディングを抑制することも可能である。
【００１８】
受信機は、受信機内で実施されるデコーダのタイプに基づいて、エラー制御メカニズムを実現することも可能であり、これは通信システムで使用されるエンコーディングのタイプに基づいて部分的に決定される。例えば、一実施形態において、無線通信システムは、コンボリューションエンコーダを用いてベース・レイヤーのデータをエンコードすることができ、受信機は、ビタビ（Ｖｉｔｅｒｂｉ）デコーダを実現することができる。このような実施形態において、受信機は、ビタビデコーダにより行われたエラー訂正数またはレイトを、エンハンスメント・レイヤーの成功的なデコーディングの確率に対する表示として使用することができる。受信機は、エラーの訂正数またはレイトを所定の閾値と比較してデコーディング動作がエンハンスメント・レイヤーに対して行われるべきかどうかを決定する。他の方法としては、受信機は、ベース・レイヤーに対するエンハンスメント・レイヤーの電力比に基づいて信号品質計量を設定することができる。受信機は、信号品質計量と閾値の比較に基づいてエンハンスメント・レイヤーをデコードするかどうかを決定することができる。
【００１９】
他の実施形態において、システムは、ベース・レイヤーをエンコードするためにターボエンコーダを実現し、受信機は、受信されたベース・レイヤーをデコードするために、対応するターボデコーダを実現するように構成されることができる。一実施形態において、受信機は、デコードされたビットのそれぞれを対応する対数尤度比（ＬＬＲ）と掛け算することによって、ターボデコーダの出力に基づいてエネルギー計量を決定することも可能である。上記の計算で、それぞれのデコードされた出力ビットは、ターボエンコーダへの対応する（システム）入力ビットに対して計算されたＬＬＲに対応する項により掛け算されることができる。そして、受信機は、スケーリングされたデコードビットの所定の数の和として、閾値と比較してエネルギー計量を決定することができる。なお、受信機は、エネルギー計量を所定の閾値と比較してエンハンスメント・レイヤーのデコーディング確率を決定することができる。
【００２０】
他の実施形態では、受信機は、ターボデコーダの出力に基づいて、非コードのビットエラーレイトを決定することができる。受信機は、例えば、デコードされたビットのそれぞれを対応するＬＬＲの符号ビットと掛け算することによって、非コードのビットエラーレイトを決定することができる。さらに、受信機は、スケーリングされたデコードビットの所定の数の和としてビットエラーレイトを決定することができる。受信機は、非コードのビットエラーレイトを所定の閾値と比較してエンハンスメント・レイヤーのデコーディング確率を決定することができる。
【００２１】
また、受信機は、成功的なデコーディングを実現するために、受信されたベース・レイヤーの情報に対してデコーディング動作が行われる回数を追跡するカウンタを具備することもできる。成功的なデコーディングを実現するために、ターボデコーダにより要求されるデコーダのサイクル数は、所定の閾値と比較することができ、この結果は、デコーディング動作がエンハンスメント・レイヤーに対して行われるかどうかを決定するときに使用される。上述のように、受信機は、ベース・レイヤーに対するエンハンスメント・レイヤーの電力比に基づいて閾値を設定し、この割合が所定の閾値より小さくない場合は、エンハンスメント・レイヤーをデコードすることができる。
【００２２】
ターボエンコーダを実現するように受信機が構成されている他の実施形態において、受信機は、ソースビットとデコードされたビットを比較して、ビットエラーレイト（ＢＥＲ）の評価を生成することができる。そして、受信機は、ＢＥＲが所定の閾値を超過する場合、エンハンスメント・レイヤーのデコーダを抑制することができる。
【００２３】
他の実施形態において、システムは、所定の長さのデータに付加される巡回冗長符号（ＣＲＣ）を用いてベース・レイヤーをエンコードすることも可能である。受信機としてＣＲＣを用いて、エンコードされたベース・レイヤーのデータを有効化することができる。受信機は、失敗したＣＲＣまたは失敗したＣＲＣの所定の数や割合を、エンハンスメント・レイヤーを成功的にデコードする確率が低い表示として用いることもできる。
【００２４】
ＣＲＣデータを付加することに加えて、システムブロックがベース・レイヤーをエンコードする他の実施形態において、受信機はエンハンスメント・レイヤーを成功的にデコードする確率を決定するために、ブロックエンコードでエラー訂正に関する統計を使用することができる。ベース・レイヤーのデータは、データの行（ｒｏｗ）の数で組織される。それぞれの列（コラム）は、ブロックコードされることができ、フォワードエラー訂正（ＦＥＣ）のパリティーデータがそれぞれの列に付加されることができる。さらに、ＣＲＣ値が決定されてそれぞれの行に付加されることができる。受信機は、ベース・レイヤーのデータを回復するために、受信機が列をブロックデコーディングすることが要求される場合、エンハンスメント・レイヤーのデータを成功的にデコードする確率が低いと決定することができる。
【００２５】
他の実施形態において、受信機はデコーダ動作の前に、あるいは、これと別に、エンハンスメント・レイヤー情報を回復する確率を決定することができる。一実施形態において、受信機は、復調されたデータに基づいてエンハンスメント・レイヤーのデータを回復する確率を決定することができる。例えば、受信機は、直交信号電力に対する同相信号電力の比を決定する。受信機は、所定の閾値またはウインドウに対する割合を比較し、この比較に基づいてエンハンスメント・レイヤーのデータを回復する確率を決定する。他の実施形態において、受信機はチャネル評価により復調されたシンボルをスケーリングし、このスケーリングされた同相または直交シンボルの大きさに基づいて、エンハンスメント・レイヤーのデータを回復する確率を決定することができる。
【００２６】
受信機におけるエンコード及びデコーダのタイプは、これらに制限されるわけではなく、多くの可能な実施形態を説明するための実施例の記載に過ぎない。次の詳細な説明でまた他の実施形態を提供する。
【００２７】
図１は、使用者の端末装置に階層的変調及び電力節減を統合した無線通信システム１００の実施形態の機能ブロック図である。システムは、使用者の端末装置１１０と通信することができる１つ以上の固定要素を含む。使用者の端末装置１１０は、例えば、階層的にコード化された変調を用いて１つ以上の通信標準に従って動作するように構成された無線電話であってもよい。
【００２８】
使用者の端末装置１１０は、携帯ユニット、移動ユニット、または停止ユニットであってもよい。使用者の端末装置１１０はまた、移動ユニット、移動端末装置、移動局、使用者装備、携帯機器、電話などであってもよい。図１には、１つの使用者の端末装置１１０のみが図示されているが、通常の無線通信システム１００は、複数の使用者の端末装置１１０と通信する機能を有することが理解できる。
【００２９】
使用者の端末装置１１０は、通常、本明細書にセクターに分割されたセルラータワーとして描かれている１つ以上の基地局（１２０ａまたは１２０ｂ）と通信を行う。使用者の端末装置１１０は、通常、使用者の端末装置１１０内の受信機で最も強い信号の強さを提供する基地局、例えば、１２０ｂと通信する。
【００３０】
それぞれの基地局（１２０ａ及び１２０ｂ）は、適合する基地局（１２０ａ及び１２０ｂ）から通信信号をルーティングする基地局制御器（ＢＳＣ）１４０に接続される。ＢＳＣ１４０は、使用者の端末装置１１０と公衆交換電話ネットワーク（ＰＳＴＮ）１５０の間のインタフェースとして動作するように構成された移動交換センター（ＭＳＣ）１５０に接続される。ＭＳＣはまた、使用者の端末装置１１０とネットワーク１６０との間のインタフェースとして動作するように構成されている。ネットワーク１６０は、例えば、ローカルネットワーク（ＬＡＮ））または広域ネットワーク（ＷＡＮ）である。一実施形態において、ネットワーク１６０はインターネットを含む。よって、ＭＳＣ１５０は、ＰＳＴＮ１５０及びネットワーク１６０に接続される。ＭＳＣ１５０はまた、１つ以上のメディアソース１７０に接続されることも可能である。メディアソース１７０は、例えば、使用者の端末装置１１０によりアクセスできるシステムの提供者から提供されるメディアのライブラリーである。例えば、システムの提供者は、使用者の端末装置１１０の要求に応じてアクセスすることができるビデオまたは他の形態のメディアを提供することもできる。ＭＳＣ１４０はまた、他の通信システム（図示せず）とのシステム相互間のハンドオフを調整するように構成されている。
【００３１】
基地局（１２０ａ及び１２０ｂ）は、階層的にコード化された信号を使用者の端末装置１１０に伝送するように構成されている。例えば、基地局（１２０ａ及び１２０ｂ）は、他の受信機（図示せず）のみならず使用者の端末装置１１０に向けることができるマルチキャスト信号を伝送するように構成されている。階層的にコード化された信号は、強力に構成されたベース・レイヤー信号、低いリンクマージンで動作して、この結果としてチャネルでの変動により敏感なエンハンスメント・レイヤー信号を含むことができる。エンハンスメント・レイヤーは、ベース・レイヤーに供給されたデータに補充データを提供したり、低い品質のサービス要求を持つ独立データを提供するように構成されている。
【００３２】
また、無線通信システム１００は、変調された階層的コーディング信号を使用者の端末装置１１０に伝送するように構成される放送伝送器１８０を有する。一実施形態において、放送伝送器１８０は、基地局（１２０ａ及び１２０ｂ）と関連がある。他の実施形態において、放送伝送器１８０は、基地局（１２０ａ及び１２０ｂ）を含む無線電話システムと区別されて独立的であることができる。放送伝送器１８０は、これらに限定されるわけではなく、オーディオ伝送器、ビデオ伝送器、ラジオ伝送器、テレビジョン伝送器など、または、これらの伝送機の組み合わせである。
【００３３】
放送伝送器１８０は、放送メディアソース１８２からデータを受信するように構成されている。すなわち、データを段階的にコーディングし、階層的コーディングデータに基づいて信号を変調し、使用者の端末装置１１０により受信されることができるサービス領域に変調された階層的コードデータを放送するように構成されている。放送伝送器１８０は、例えば、放送メディアソース１８２から受信されたデータからのエンハンスメント・レイヤーのデータ及びベース・レイヤーのデータを生成する。
【００３４】
階層的にコード化されたデータの構成は、ベース・レイヤーから運ばれたデータと重なるデータを、エンハンスメント・レイヤーが運ばないので利点がある。また、受信機がエンハンスメント・レイヤーをデコーディングできないものはサービスの喪失をもたらすことがない。例えば、ベース・レイヤーは、標準ビデオ解像度で映像を運ぶように構成され、エンハンスメント・レイヤーは、受信されたビデオ信号の解像度またはＳＮＲを増加させる追加データを提供することができる。このような構成において、エンハンスメント・レイヤーをデコーディングできないものは、低い解像度信号またはＳＮＲをもたらすが、信号の完全な喪失をもたらすことはない。
【００３５】
使用者の端末装置１１０は、受信された信号を復調し、ベース・レイヤーをデコードするように構成されている。使用者の端末装置１１０における受信機は、ベース・レイヤーのデコーダの標準部分としてエラー制御メカニズムを実現する。使用者の端末装置１１０の受信機は、ベース・レイヤーのデコーダのエラー制御メカニズムを用いて成功的なエンハンスメント・レイヤーのデコーディングの確率を決定する。さらに、使用者の端末装置１１０の受信機は、ベース・レイヤーのデコーディングで使用されるエラー制御メカニズムで生成される統計または計量に基づいて、エンハンスメント・レイヤーをデコードするかどうかを決定する。
【００３６】
図２Ａは、階層的変調の実現に係る実施形態の信号空間ダイヤグラム（コンスタレーション図：信号点配置図）２００である。この実施例において、図１の無線通信システム１００は、図２Ａに示された方式により階層的変調を実現することができる。階層的変調の実現は、四位相偏移変調（ＱＰＳＫ）上のＱＰＳＫ（ＱＰＳＫ  ｏｎ  ＱＰＳＫ）と呼ばれる。実現はＱＰＳＫ変調されたベース・レイヤーを有する。たとえ、ＱＰＳＫ上のＱＰＳＫ階層的変調の実現について図２Ａに示したが、本明細書に示される電力節減装置及び方法は、特定タイプの階層的変調に限定されない。例えば、他の階層的変調に係る実施形態は、ＱＰＳＫを介する１６−ＱＡＭ、または、他の形態の階層的変調を使用することも可能である。
【００３７】
ＱＰＳＫベース・レイヤーは、４個の信号ポイント（２０２ａ〜２０２ｄ）で定義される。エンハンスメント・レイヤーはまた、ＱＰＳＫ変調される。しかし、ＱＰＳＫ変調されたエンハンスメント・レイヤーは、ＱＰＳＫベース・レイヤーコンステレーション（ｃｏｎｓｔｅｌｌａｔｉｏｎ）の上部で発生する。エンハンスメント・レイヤーに対するＱＰＳＫコンステレーションは４個の位置を含むが、コンステレーションは、ベース・レイヤーの４個の信号ポイント（２０２ａ〜２０２ｄ）のうちのどこの周辺にも中心を持つことができる。
【００３８】
実施例において、第２ベース・レイヤーの信号ポイント２０２ｂは、第２象限で発生し、Ｉ信号成分はネガティブであり、Ｑ信号成分はポジティブである。第２ベース・レイヤー信号ポイント２０２ｂの上部に、エンハンスメント・レイヤー（２１０ａ〜２１０ｄ）の４個の信号ポイントがある。同様に、ベース・レイヤーの信号ポイント（２０２ａ〜２０２ｄ）に対応するそれぞれの象限は、エンハンスメント・レイヤーの４個の信号ポイントを有する。
【００３９】
階層的変調は、ベース・レイヤーに対するベクトルと、エンハンスメント・レイヤーからのベクトルとの和で表される。ベース・レイヤー及びエンハンスメント・レイヤーのデータに対応するベクトルの和は、第１象限に示される実施例により説明される。第１ベクトル２０４は、ベース・レイヤーのデータの例に相当している。第１ベクトル２０４の位置は、エンハンスメント・レイヤーのデータに対する原点（ｏｒｉｇｉｎ）を定義する。エンハンスメント・レイヤーのデータに対応する第２ベクトル２０６は、ベース・レイヤーの第１ベクトル２０４と合算される。結果ベクトル２０８は、階層的に変調されたデータを示す。
【００４０】
他の実施形態において、ベクトルの和は、ベース・レイヤーの信号コンステレーションに基づいてエンハンスメント・レイヤーの信号コンステレーションを回転させた後の和であることができる。例えば、エンハンスメント・レイヤーのデータに対するコンステレーションは、ベース・レイヤーベクトルの角度によって回転され、回転されたエンハンスメント・レイヤーベクトルは、ベース・レイヤーベクトルと合算される。
【００４１】
他の実施形態において、エンハンスメント・レイヤーのコンステレーションは、ベース・レイヤーのコンステレーションにおけるベース・レイヤーのデータの位置に基づいて所定の量だけ回転することができる。例えば、ＱＰＳＫ上のＱＰＳＫの実施形態において、エンハンスメント・レイヤーのコンステレーションは、ベース・レイヤーのコンステレーションの象限に基づいて９０度の整数の増加分（ｉｎｔｅｇｅｒ  ｉｎｃｒｅｍｅｎｔ）だけ回転される。他の実施形態において、エンハンスメント・レイヤーのコンステレーションは、ベース・レイヤーのコンステレーションにおける位置に基づいてミラリングされることができる。また、一実施形態では、回転とミラリングとの組み合わせを使用することも可能である。
【００４２】
他の実施形態において、基礎及びエンハンスメント・レイヤーのデータは、所定のマップまたはアルゴリズムに基づいてコンステレーションシンボルにマッピングすることができる。例えば、ベース・レイヤーのデータ及びエンハンスメント・レイヤーのデータは、それぞれ２ビットを有し、ベース・レイヤーとエンハンスメント・レイヤーのデータの組合が４ビットになるようにする。マッピング動作は、４ビットを取り、これをＱＡＭコンステレーションまたはＱＰＳＫ上のＱＰＳＫコンステレーションのような所定のコンステレーションからシンボルへマッピングすることができる。
【００４３】
図２Ｂは、階層的変調の実行に係る他の実施形態のコンステレーション図２６０である。図２Ｂのコンステレーション図２６０は、ベース・レイヤーのデータがコンステレーションの特定の象限にマッピングする１６−ＱＡＭコンステレーションであり、エンハンスメント・レイヤーのデータがこのコンステレーション内の特定の位置にマッピングされる１６−ＱＡＭコンステレーションである。１６−ＱＡＭコンステレーション２６０は一定の間隔を有する必要はないが、各象限内では一定の間隔を有し、他の象限内の最も近い点の間に異なる間隔を有するように修正されることもできる。また、コンステレーションにおける一部の点は、象限の中間点に対してミラリングされることもできる。
【００４４】
それぞれの象限の基礎及びエンハンスメント・レイヤーを定義する土台データは、１つ以上のエンコードプロセスを使用してエンコードされることができる。使用されるエンコードプロセスは、任意のエンコードプロセスであってもよく、エンコードのタイプは、本明細書に開示される電力節減装置及び方法を制限するものではない。エンコーダとしては、例えば、コンボリューションエンコーダ、ターボエンコーダ、ブロックエンコーダ、インターリーバ、ＣＲＣエンコーダ、エンコーダの組み合わせなど、または、データをエンコードする他のプロセスや装置がある。
【００４５】
図２Ｃは、階層的コーディング変調に使用されるブロックコーディング構造２２０に係る実施形態のブロック図である。ブロックコーディング構造２２０は、ブロックコーディング部分に付加されるシステムコード構造を実現する。
【００４６】
ブロックコーディング構造２２０は、ブロックに配置されるデータ２３０の行数を含む。データ２３０の行は、インターリービングされることもできるが、必ず必要なわけではない。データ２３０の行からそれぞれの行、例えば、２３２ａは行に付加されるＣＲＣ値を生成するように処理される。これにより、ブロックコーディングの構造２２０は、それぞれの行に対して計算されるＣＲＣ値に対応するＣＲＣ部分２４０を含む。データ２３０の行に続いて、垂直、列方式のＣＲＣ部分２４０及びデータ２３０の行により決定されるブロックコーディング部分２５０がある。よって、データ２３０の行からのそれぞれの列のデータは、列に付加されたブロックコード値を生成する。なお、ＣＲＣ部分２４０自体は、ＣＲＣ値に対応し、データには対応しないブロックコードを含むＣＲＣブロックコーディングされた部分２５５に対応する。
【００４７】
ブロックコード値は、リードソロモン（Ｒｅｅｄ−Ｓｏｌｏｍｏｎ）ブロックコードのような任意のタイプのブロックコード手法により生成することができる。
【００４８】
ブロックコーディング構造２２０の他の実施形態において、データ２３０の行はブロックに配置することができる。ブロックコーディングは、それぞれの列のデータに実行されて、ブロックコーディング部分２５０を生成することができる。ＣＲＣ値が決定されてブロックコーディング部分２５０の行を含むそれぞれの行に付加され、ＣＲＣ部分２４０及びＣＲＣブロックコーディングされた部分２５５を生成することができる。
【００４９】
データは、行方式によりブロックコーディング構造２２０から読み出され、土台のベース・レイヤーまたはエンハンスメント・レイヤーのデータとして使用される。一実施形態において、ベース・レイヤーのデータは、エンハンスメント・レイヤーのデータとは独立してブロックエンコーディングされる。ブロックコード構造２２０は、高品質チャネルを介して受信されたデータのデコーディングの速度を向上させることができるデコーディングオプションを提供する。
【００５０】
受信されたエンコードデータは、それぞれの受信された行に対するＣＲＣを検査することによってデコードされる。有効なＣＲＣ値は、成功的にデータを受信する確率が高いことを表し、一方、失敗したＣＲＣは、受信されたデータ２３０の１つ以上の位置におけるエラーを表す。受信機は、ブロックコーディングされた部分２５０からデータを受信する前に、以前に受信されたデータが成功的にデコードされたかを決定することができる。このような場合、ブロックコーディングされた部分２５０を処理する必要がない。他の方法としては、受信機は、例えば、失敗したＣＲＣ有効化の所定の数に基づいて、受信されたデータが成功的にデコードされていないと決定することができる。このような場合、受信機はブルロックコーディングされた部分２５０を処理して、受信されたデータをさらにデコードするようにすることができる。受信機は、以前に受信されたデータが成功的にデコードされない場合のみブロックコーディングされた部分２５０を処理する。
【００５１】
図３は、階層的にコード化された変調システムに対して構成された伝送器３００に係る実施形態の機能ブロック図である。図３の伝送器３００は、直交周波数分割多重アクセス（ＯＦＤＭＡ）または直交周波数分割多元化（ＯＦＤＭ）システムにおけるＱＰＳＫ上のＱＰＳＫ階層的変調に対して構成される。しかし、伝送器３００の実施形態は、本明細書に開示された電力節減装置及び方法に係る実施形態であり、これに制限されない。例えば、単一のキャリアーシステムが、階層的にコード化されたデータで変調されることができる。
【００５２】
伝送器３００は、例えば、データバッファからのベース・レイヤーのデータを受信し、所定のデータブロックをインターリービングするように構成されたベース・レイヤーインターリーバ３０２を有する第１データ経路を具備する。ベース・レイヤーインターリーバ３０２の出力は、ベース・レイヤーエンコーダ３１２に接続される。ベース・レイヤーエンコーダ３１２は、様々なエンコーデイィング手法のうちのいずれかにより、インターリービングされたベース・レイヤーのデータをエンコードすることができる。例えば、ベース・レイヤーエンコーダ３１２は、インターリービングされたベース・レイヤーのデータをコンボリューションコード、ターボコード、ブロックコード、または、他のエンコーディングを行って、エンコードされたベース・レイヤーシンボルを生成する。ベース・レイヤーエンコーダ３１２の出力は、ベースバンド変調器３３０の第１入力に接続される。ベース・レイヤーシンボルは、ＱＰＳＫ信号のＩ及びＱ成分で構成される。
【００５３】
伝送器３００はまた、エンハンスメント・レイヤーのデータを処理するように構成された第２データ経路を含む。第２データ経路は、第１データ経路と類似する構成を有している。エンハンスメント・レイヤーインターリーバ３０４は、エンハンスメント・レイヤーのデータのブロックを受信及びインターリービングするように構成されている。データは、データバッファや他のタイプのメモリ装置（図示せず）に格納されることも可能である。
【００５４】
エンハンスメント・レイヤーインターリーバ３１４の出力は、エンハンスメント・レイヤーエンコーダ３１４に接続される。このような共通性は必ずしも要求されるわけではないが、一般的には、エンハンスメント・レイヤーエンコーダ３１４は、ベース・レイヤーエンコーダ３１２に使用されるエンコーダと同一のタイプが使用される。エンハンスメント・レイヤーエンコーダ３１４の出力は、ベースバンド変調器３３０の第２入力に接続される。エンハンスメント・レイヤーのエンコードされたシンボルは、ＱＰＳＫ信号のＩ及びＱ成分で構成されている。エンハンスメント・レイヤーシンボルの大きさは、図２Ａに示されたＱＰＳＫ上のＱＰＳＫコンステレーションを実現するために調整される。
【００５５】
ベースバンド変調器３３０は、ベース・レイヤーシンボルとエンハンスメント・レイヤーシンボルを結合して階層的にコード化されたシンボルを生成するように構成されている。ベースバンド変調器３３０は、階層的にコード化されたシンボルでベースバンド信号を変調するように構成されている。実施形態によっては、ベースバンド変調器３３０は省略可能である。
【００５６】
ベースバンド変調器３３０の出力は、信号マッパーとして構成された直列−並列変換器３４０に接続されることができる。直列−並列変換器３４０は、直列シンボルストリームを、特定の使用者の端末装置に対するＯＦＤＭＡシンボルに割り当てられたキャリアー周波数にマッピングするように構成されている。複数の使用者の端末装置に対して階層的にコード化されたシンボル生成が行われるシステムにおいて、それぞれの使用者の端末装置は、利用可能なキャリアー周波数のサブセットに割り当てられる。
【００５７】
直列−並列変換器３４０の出力は、逆高速フーリエ変換（ＩＦＦＴ）モジュール３５０のような変換モジュールに接続される。ＩＦＦＴモジュール３５０は、周波数領域シンボルをこれに対応する時間領域サンプルに変換するように構成されている。ＩＦＦＴモジュール３５０の出力は、並列のＩＦＦＴモジュール３５０出力から直列シンボルストリームを生成するのに使用される並列−直列変換器３６０に接続される。並列−直列変換器３６０の出力は、ＯＦＤＭＡシンボルを周波数変換及び伝送するように構成された無線伝送器モジュール３７０に接続される。
【００５８】
図４は、階層的にコード化された変調通信システムの電力節減のために構成された受信機４００に係る実施形態の機能ブロック図である。受信機４００は、例えば、図１の無線通信システムで動作する使用者の端末装置で実行されることができる。
【００５９】
受信機４００は、例えば、無線リンクを介して階層的にコード化された信号を受信するように構成された受信機モジュール４１０を具備する。受信機モジュール４１０は、受信された信号をフィルタリング、増幅、及び周波数変換するように構成されている。受信機モジュール４１０の出力は、例えば、ベースバンド信号であってもよい。
【００６０】
受信機モジュール４１０の出力は、受信された信号を復調して階層的にコード化されたシンボルを生成するように構成されている復調器４２０に接続されている。復調器４２０の出力は、階層的デコーダモジュール４３０の入力に接続されることができる。階層的デコーダモジュール４３０に対する入力は、階層的コード化されたシンボルを、ベース・レイヤーのデコーダ４４０及び選択的にエンハンスメント・レイヤーのデコーダ４５０の両者にスイッチ４６０を介して接続する。
【００６１】
ベース・レイヤーのデコーダ４４０は、受信されたシンボルをデコードして復調シンボルから受信されたベース・レイヤーのデータを決定するように構成されている。このベース・レイヤーのデコーダ４４０は、ベース・レイヤーのデコーディングプロセスをモニターリングし、成功的なエンハンスメント・レイヤーのデコーディングの確率を決定するように構成された信号品質モジュール４４２に接続される。
【００６２】
信号品質モジュール４４２は、例えば、ベース・レイヤーのデコーダ４４０内のエラー制御メカニズムの一部であってもよい。信号品質モジュール４４２は、成功的なエンハンスメント・レイヤーのデコーディングの確率を決定することができ、確率を所定の閾値と比較することができる。この確率が所定の閾値を超過しない場合、信号品質モジュール４４２は、エンハンスメント・レイヤーのデコーダ４５０を制御してデコーディング動作を抑制するように構成されている。一実施形態において、信号品質モジュール４４２は、デコードされたベース・レイヤーのデータのビットエラーレイト（ＢＥＲ）を決定するように構成され、ＢＥＲに基づいてエンハンスメント・レイヤーのデコーダを選択的にイネーブルとし、或いは、抑制することができる。信号品質モジュール４４２はまた、入力信号をエンハンスメント・レイヤーのデコーダ４５０に選択的に接続するように構成されたスイッチ４６０を制御するように構成されている。
【００６３】
信号品質モジュール４４２は、固定された閾値を使用するように構成され、可変閾値を使用することができる。一実施形態において、信号品質モジュール４４２は、以前のデコードされたエンハンスメント・レイヤーのデータのエラーレイトで部分的に修正される可変閾値を使用するように構成されている。例えば、信号品質モジュール４４２は、初期にデフォールト閾値を確立することができ、デコードされたエンハンスメント・レイヤーのデータのＢＥＲに基づいて閾値を変化させることができる。例えば、エンハンスメント・レイヤーのデータがデコードされなければならないが、デコードされたエンハンスメント・レイヤーのデータは実質のない（ｉｎｓｕｂｓｔａｎｔｉａｌ）ＢＥＲを有すると信号品質モジュール４４２が決定すれば、信号品質モジュール４４２は、エンハンスメント・レイヤーのデコーダが活性化されるとき、エンハンスメント・レイヤーのデータをデコードする確率を高めるために、所定の増加分だけ閾値を増加させることも可能である。同様に、信号品質モジュール４４２は、デコードされたエンハンスメント・レイヤーのデータが収容可能ＢＥＲより実質的に低いＢＥＲを有する場合には、閾値が減少するように構成されている。もちろん、信号品質モジュール４４２は、閾値を変化させる他の方法を利用することも可能である。
【００６４】
他の実施形態において、信号品質モジュール４４２は、ベース・レイヤーのデコーダ４４２における入力シンボルに対して動作することができ、デコーダの実行と独立的に成功的なエンハンスメント・レイヤーのデコーディングの確率を決定するように構成されている。例えば、信号品質モジュール４４２は、同相及び直交信号成分の部分から導出される大きさに基づいて、または、同相に対する直交信号成分の割合に基づいて、成功的なエンハンスメント・レイヤーのデコーディングの確率を決定することができる。実施例において、スケーリングされた大きさの同相または直交信号成分は、エンハンスメント・レイヤーのデータを決定する可能性が低いことを表すこともできる。このような条件の実施例においては、１６−ＱＡＭまたはＱＰＳＫ上のＱＰＳＫコンステレーションの同相または直交信号成分が実質的に０である。コンステレーションにおいて軸の近くにある点がないので、エンハンスメント・レイヤーのデータをデコードする確率は低い。同様に、同相に対する直交信号成分の割合は、エンハンスメント・レイヤーのデータをデコードする確率が低いことを意味し得る、コンステレーションからの脱離を意味し得る。
【００６５】
信号品質モジュール４４２は、受信されたシンボルをデコードするにあたって、エンハンスメント・レイヤーのデコーダ４５０により消費される電力を保存するために、エンハンスメント・レイヤーのデコーダ４５０を抑制することもできる。信号品質モジュール４４２はまた、エンハンスメント・レイヤーのデコーダ４５０の１つ以上の部分を電力遮断することもできる。信号品質モジュール４４２は、例えば、電力供給電圧または供給電流をエンハンスメント・レイヤーのデコーダ４５０に接続するスイッチを制御することができる。他の方法として、または付加的に、信号品質モジュール４４２は、エンハンスメント・レイヤーのデコーダ４５０の動作を制御するクロック信号（図示せず）を選択的に接続し、或いは、抑制することができる。エンハンスメント・レイヤーのデコーダに対するクロック信号は、例えば、信号品質モジュール４４２からのイネーブル信号を有する論理ＡＮＤであってもよい。ＣＭＯＳで実現される回路において、クロック信号が無い場合は、回路による電力消費が実質的に除去される。エンハンスメント・レイヤーのデコーダ４５０が抑制されるとき、電力を保存するために他の抑制手法を使用してもよい。
【００６６】
エンハンスメント・レイヤーのデコーディングが成功的である確率が充分大きいと信号品質モジュール４４２が決定すれば、信号品質モジュール４４２は、エンハンスメント・レイヤーのデコーダ４５０をイネーブルし、スイッチ４６０を制御して入力信号をエンハンスメント・レイヤーのデコーダ４５０に選択的に接続することができる。
【００６７】
エンハンスメント・レイヤーのデコーダ４５０は、復調器４２０の出力に対して動作し、階層的にコード化されたシンボルをデコードしてエンハンスメント・レイヤーのデータを回復することができる。ベース・レイヤーのデコーダ４４０及びエンハンスメント・レイヤーのデコーダ４５０の出力は、エンハンスメント・レイヤーのデコーダ４５０の動作が抑制されるとき、ベース・レイヤーのデコーダ４４０からの出力のみを出力するように構成される結合器４７０に接続される。データがベース・レイヤーのデコーダ及びエンハンスメント・レイヤーのデコーダ４５０の両者すべてから出力される場合、結合器４７０は、両者の回復されたデータストリームを出力するように構成されている。例えば、結合器４７０は、ベース・レイヤー及びエンハンスメント・レイヤーのデータを並列に出力するように構成され、あるいは、所定のインターレーシング処理により該データを直列に出力するように構成されている。
【００６８】
他の実施形態において、エンハンスメント・レイヤーのデコーダ４５０は、エンハンスメント・レイヤーのデータのみをデコードし、ベース・レイヤーのデコーダ４４０はベース・レイヤーのデータを回復するために使用される。このような実施形態で、信号品質モジュール４４２はスイッチを制御し、対応するデータがデコードされるとき、エンハンスメント・レイヤーのデコーダ４５０またはベース・レイヤーのデコーダ４４０の出力を階層的デコーダモジュール４３０の出力に選択的に接続する。
【００６９】
信号品質モジュール４４２は、ベース・レイヤーのデコーダ４４０により動作する同一のシンボルまたは時間的に相関する他のシンボルに対してエンハンスメント・レイヤーのデコーダ４５０の動作をイネーブルまたは抑制するように構成されている。例えば、復調器４２０は、データバッファ（図示せず）で所定の数のシンボルを格納するように構成されている。ベース・レイヤーのデコーダ４４０は、バッファリングされたデータに対して動作し、信号品質モジュール４４２は、成功的なデコーディングの確率に基づいて、エンハンスメント・レイヤーのデコーダ４５０をイネーブルするか、あるいは抑制するかを決定する。信号品質モジュール４４２がエンハンスメント・レイヤーのデコーダ４５０をイネーブルする場合、エンハンスメント・レイヤーのデコーダ４５０は、復調器４２０のデータバッファに格納された同一のデータに対して動作することができる。
【００７０】
他の実施形態において、ベース・レイヤーのデコーダ４４０は、復調器４２０から受信されたシンボルをデコードするように構成され、信号品質モジュール４４２は、未来の所定の存続期間中にエンハンスメント・レイヤーのデコーダ４５０をイネーブルするか、あるいは抑制するかを決定する。例えば、受信されたシンボルは、ブロックで受信されることができ、ベース・レイヤーのデコーダ４４０は、すべてのブロックをデコードすることができる。しかし、信号品質モジュール４４２は、次に受信されたブロックまたは所定の数のブロックに対して、エンハンスメント・レイヤーのデコーダ４５０がイネーブルされるか、あるいは抑制されるかを決定する。信号品質モジュール４４２は、それぞれのデータブロックに対して決定を行う必要はない。例えば、エンハンスメント・レイヤーのデコーダ４５０は、１つを超過するデータブロックの存続期間中に抑制されることができる。
【００７１】
図５は、階層的にコード化された変調通信システムにおける電力節減のために構成された受信機５００の他の機能ブロック図である。図５の受信機５００の実施形態は、例えば、図３に示された伝送器の実施形態とともに使用することができる。
【００７２】
受信機５００は、階層的に変調された信号を受信し、該信号をベースバンド信号に変換する受信機モジュール４１０を具備する。受信機モジュール４１０の出力は、直列ＯＦＤＭシンボルストリームを並列ストリームに変換するように構成された直列−並列変換器５１０に接続される。直列−並列変換器５１０の出力は、並列ＯＦＤＭシンボルを周波数領域のそれぞれの直交サブキャリアーに変換するように構成された高速フーリエ変換ＦＦＴモジュール５２０であり得る変換モジュールに接続される。
【００７３】
ＦＦＴモジュール５２０の出力は、並列周波数成分または特定受信機５００へマッピングする周波数成分のみを復調器４２０で変換する並列−直列変換器５３０に接続される。復調器４２０は、受信されたシンボルを復調するように動作し、図４に示されているように、動作する階層的デコーダモジュール４３０にシンボルを接続する。
【００７４】
既に述べたように、受信された信号は、様々なエンコードプロセスのうちのどれによってもエンコーディング可能である。それぞれのエンコードプロセスは、ベース・レイヤーまたはエンハンスメント・レイヤーエンコーダで実行される対応するデコーダプロセスを有する。
【００７５】
図６Ａ〜図６Ｄは、様々なデコーダタイプを実現する階層的デコーダモジュール４３０に係る実施形態の機能ブロック図である。図６Ａに示した第１実施形態において、無線通信システムは、階層的に変調された信号のベース・レイヤー及びエンハンスメント・レイヤーの両方でコンボリューションエンコードを実行する。階層的デコーダモジュール４３０は、受信されたシンボルをデコードするビタビデコーダ（６１０及び６２０）を具備する。
【００７６】
ベース・レイヤー・ビタビデコーダ６１０は、コンボリューションエンコードしたベース・レイヤーシンボルをデコードするときに使用される。ベース・レイヤー・ビタビデコーダ６１０の一部であり得るデコーダ計量モジュール６１２は、ベース・レイヤー・ビタビデコーダ６１０により行われる訂正の数またはレイトをモニターリングし、計量に基づいて成功的なエンハンスメント・レイヤーのデコーディングの確率を生成する。例えば、デコーダ計量モジュール６１２は、デコーディング格子を通じて最小の長さを超えて計量をモニターリングすることができる。デコーダ計量モジュール６１２は、最小の長さに関して計量を正規化することができ、所定の数のシンボルに対してレイトを決定することができる。デコーダ計量モジュール６１２は、成功確率を所定の閾値と比較して、成功確率が閾値を超過しない場合は、エンハンスメント・レイヤー・ビタビデコーダ６２０を抑制する。
【００７７】
階層的に変調された信号のターボコーディングを実行する無線通信システムについて、図６Ｂに階層的デコーダモジュール４３０の他の実施形態を示す。階層的デコーダモジュール４３０は、ベース・レイヤーシンボルをデコードするように構成されたベース・レイヤー・ターボデコーダ６３０を具備する。
【００７８】
ベース・レイヤー・ターボデコーダ６３０に接続されたデコーダ計量モジュール６３２は、ベース・レイヤー・ターボデコーダ６３０からの出力に基づいて信号計量を決定し、信号計量に基づいてエンハンスメント・レイヤーのデータを成功的にデコードする確率を決定する。一実施形態において、デコーダ計量モジュール６３２は、エネルギー計量を決定するように構成されている。デコーダ計量モジュール６３２は、デコードされたベース・レイヤー・ビットのそれぞれと、ベース・レイヤー・ターボデコーダ６３０の入力からの対応するログ可能性の割合を掛け算してエネルギー計量を決定することができる。さらに、デコーダ計量モジュールは、加重されたベース・レイヤー・ビットの所定の数の和を計算することができる。例えば、デコーダ計量モジュール６３２は、最も最近デコードされたベース・レイヤー・ビットのスライディングウインドウに対応する和を決定するように構成されている。デコーダ計量モジュール６３２は、エネルギー計量を所定の閾値と比較し、この比較に基づいてエンハンスメント・レイヤーのデータを成功的にデコードする確率を決定することができる。
【００７９】
他の実施形態において、デコーダ計量モジュール６３２は、非コードのＢＥＲを決定するように構成されている。デコーダ計量モジュール６３２は、それぞれのデコードされたベース・レイヤー・ビットを、対応するログ可能性の割合の符号ビットと掛け算するように構成されている。デコーダ計量モジュール６３２は、所定数のスケーリングされたベース・レイヤー・ビットを合算することで、非コードのＢＥＲを決定することができる。デコーダ計量モジュール６３２は、非コードのＢＥＲを所定の閾値と比較し、この比較に基づいてエンハンスメント・レイヤーのデータを成功的にデコードする確率を決定することができる。
【００８０】
ターボデコーダの内部構造は、入力シンボルを成功的にデコードするため、多重のデコーダ通過を行う。ベース・レイヤー・ターボデコーダ６３０に接続されたデコーダ計量モジュール６３２は、ベース・レイヤーのデータをデコードするのに使用されるデコーダ通過の数をモニターリングする。デコーダ計量モジュール６３２は、通過数または通過数による計量に基づいて、エンハンスメント・レイヤーのデータを成功的にデコードする確率を決定することができる。デコーダ計量モジュール６３２は、この確率を所定の閾値と比較し、この確率が閾値を超過しない場合は、エンハンスメント・レイヤー・ターボデコーダ６４０を抑制する。
【００８１】
図２Ｃに示したようなＣＲＣ及びブロックコーディングを実行する無線通信システムについて、図６Ｃに他の実施形態の階層的デコーダモジュール４３０を示す。階層的デコーダモジュール４３０は、ベース・レイヤーブロックデコーダ６５４に接続されたベース・レイヤーＣＲＣモジュール６５０を有するベース・レイヤーのデコーダを含む。エンハンスメント・レイヤーのデコーダは同様に、エンハンスメント・レイヤーＣＲＣモジュール６６０及びエンハンスメント・レイヤーブロックデコーダ６６２を含む。
【００８２】
階層的デコーダモジュール４３０は、受信されたデータの行のＣＲＣを検証するときに使用されるベース・レイヤーＣＲＣモジュール６５０を有する。ＣＲＣ値を検証できないということは、受信されたデータにおけるエラーを意味する。失敗ＣＲＣカウンタ６５２は、ベース・レイヤーＣＲＣモジュール６５０に接続されてＣＲＣが失敗したデータの行の数をモニターリングすることができる。失敗ＣＲＣカウンタ６５２は、所定数のデータの行で発生する失敗したＣＲＣチェックの累積をモニターリングするように構成されている。失敗ＣＲＣカウンタ６５２は、失敗したＣＲＣチェックの数を所定の閾値と比較し、この数が閾値を超過するかどうかによってエンハンスメント・レイヤーのデコーダを抑制する。
【００８３】
また、失敗ＣＲＣカウンタは、図２Ｃに示したように、データ行に付加したブロックコーディング行を用いて受信信号をブロックデコーディングすることができるベース・レイヤーブロックデコーダ６５４に受信信号を選択的に接続するスイッチ６５６を制御することができる。
【００８４】
よって、失敗ＣＲＣカウンタ６５２は、エンハンスメント・レイヤーのデコーダを抑制するかどうかを決定するために、ベース・レイヤーブロックデコーダ６５４が使用されるかどうかを決定する同一のエラー制御メカニズムを利用することも可能である。例えば、失敗ＣＲＣカウンタ６５２は、受信されたベース・レイヤー信号からデータを回復するために、ベース・レイヤーブロックデコーダ６５４が要求されるかどうかを決定する。ベース・レイヤーのデータを回復するためにベース・レイヤーブロックデコーダが要求される場合は、エンハンスメント・レイヤーのデータが成功的にデコードされる可能性は低い。このように、ベース・レイヤーブロックデコーダ６５４を使用するかどうかの決定は、エンハンスメント・レイヤーのデコーダを抑制するかどうかの決定として使用できる。
【００８５】
上述の実施形態の階層的デコーダモジュール４３０では、ベース・レイヤーのデコーダとエンハンスメント・レイヤーのデコーダを並列に示した。しかし、このような構成は必要条件ではない。図６Ｄは、エンハンスメント・レイヤーのデコーダ４５０と直列に接続されたベース・レイヤーのデコーダ４４０を有する階層的デコーダモジュール４３０の実施形態の機能ブロック図を示す。ベース・レイヤーのデコーダ４４０は、ベース・レイヤーのデコードに基づいてエンハンスメント・レイヤーのデコーダがイネーブルされるか、あるいは抑制されるかを決定する信号品質モジュール４４２に接続される。直列構成において、エンハンスメント・レイヤーのデコーダ４５０は、エンハンスメント・レイヤーのデータのみをデコードするように構成可能であり、ベース・レイヤーのデータをデコードすることは要求されない。エンハンスメント・レイヤーのデコーダ４５０が抑制される場合、階層のデコーダモジュール４３０からの出力はベース・レイヤーのデータである。
【００８６】
図７は、階層的にコード化された変調通信システムにおける電力節減の方法７００に係る実施形態のフローチャートである。方法７００は、例えば、図１に示した無線通信システムと通信する使用者の端末装置の受信機により実行されることができる。
【００８７】
方法７００は、ブロック７０２から開始される。使用者の端末装置は、ブロック７１０に進み、階層的にコード化された変調信号を受信する。使用者の端末装置は、ブロック７２０に進み、受信された信号からベース・レイヤーのデータをデコードする。
【００８８】
使用者の端末装置は、決定ブロック７３０に進み、ベース・レイヤーのデコーディングが成功したかどうかを決定する。ＮＯである場合は、エンハンスメント・レイヤーをデコードしようと試みる必要がない。使用者の端末装置は、ブロック７７０に進む。
【００８９】
決定ブロック７３０に戻り、ベース・レイヤーのデータが成功的にデコードされたと使用者の端末装置が決定すれば、使用者の端末装置はブロック７４０に進み、使用者の端末装置がエンハンスメント・レイヤーのデータの成功的なデコーディングの確率を決定する。使用者の端末装置は、例えば、ベース・レイヤーのデコーダのエラー制御メカニズムを利用して成功の確率を決定する。他の実施形態において、使用者の端末装置は、ベース・レイヤー電力レベルに対するエンハンスメント・レイヤーの電力レベルの割合に基づいてこの確率を決定することができる。
【００９０】
使用者の端末装置はブロック７５０に進み、エンハンスメント・レイヤーのデータを成功的にデコードする確率が所定の閾値より大きいかどうかを決定する。確率が所定の閾値以上であれば、実施形態により、使用者の端末装置はブロック７６０に進み、エンハンスメント・レイヤーのデータをデコードする。使用者の端末装置は、ブロック７６０からブロック７１０に進み、次の階層的コーディング変調データを受信する。
【００９１】
ブロック７５０に戻り、成功の確率が所定の閾値を超過しない場合は、使用者の端末装置はブロック７７０に進む。ブロック７７０で、使用者の端末装置はエンハンスメント・レイヤーのデータを脱落させる。実施形態において、使用者の端末装置は、確率が決定されたベース・レイヤーのデータに対応するエンハンスメント・レイヤーのデータを脱落させる。他の実施形態では、使用者の端末装置は、時間的に相関する他のエンハンスメント・レイヤーのデータを脱落させる。例えば、使用者の端末装置は、所定の存続期間中にエンハンスメント・レイヤーのデータを脱落させる。一実施形態において、使用者の端末装置は、１つ以上の所定のブロックまたはパケットサイズに対してエンハンスメント・レイヤーのデータを脱落させることができる。
【００９２】
使用者の端末装置はブロック７８０に進み、使用者の端末装置は、エンハンスメント・レイヤーのデコーダを選択的に電力をダウンさせることも可能である。使用者の端末装置は、例えば、エンハンスメント・レイヤーのデコーダからの電力供給または電流を分離し、あるいは使用者の端末装置は、エンハンスメント・レイヤーのデコーダのクロック信号を抑制することもできる。もちろん、使用者の端末装置は、また他の電力節減手法を用いることも可能である。
【００９３】
受信機に対して階層的コーディング変調通信システムにおける電力を保存するように許容する方法及び装置について開示する。受信機は、階層的にコード化されたベース・レイヤー信号及びエンハンスメント・レイヤー信号を有する信号を受信することができる。受信機は、ベース・レイヤー信号を復調及びデコードすることができる。受信機は、エンハンスメント・レイヤーのデータを成功的にデコードする確率を決定し、ベース・レイヤーのデコーダのエラー制御メカニズムに部分的に基づいて成功の確率を決定することができる。さらに、受信機は、成功の確率に基づいてエンハンスメント・レイヤーのデコーダをイネーブルするか、あるいは抑制するかを決定することができる。低い成功確率に対して、受信機はエンハンスメント・レイヤーのデコーダを抑制して電力をダウンさせ、あるいは、電力をさらに保存するためにエンハンスメント・レイヤーのデコーダの一部または全体をディスエーブルにすることができる。
【００９４】
本明細書に開示された実施形態に係る様々な例示的な論理ブロック、モジュール及び回路は、本明細書に開示された機能を実行するために設計された、汎用プロセッサ、デジタル信号プロセッサ（ＤＳＰ）、減少した命令語セットコンピュータ（ＲＩＳＣ）プロセッサ、アプリケーション特定集積回路（ＡＳＩＣ）、フィールドプログラム可能ゲートアレイ（ＦＰＧＡ）、または、他のプログラム可能論理デバイス、個別素子、または、トランジスタロジック、個別ハードウエア構成要素、または、これらの組み合わせにより実現及び実行することができる。汎用プロセッサは、マイクロプロセッサであってもよく、さらに、また他のプロセッサ、コントローラ、マイクロコントローラーや状態機器であってもよい。プロセッサはまた、コンピューティング装置の組み合わせ、例えば、ＤＳＰとマイクロプロセッサの組み合わせ、複数のマイクロプロセッサ、ＤＳＰコアに接続された１つ以上のマイクロプロセッサ、または、他のこのような構成で実現することができる。
【００９５】
ソフトウェアモジュールは、ＲＡＭメモリ、フラッシュメモリ、非揮発性メモリ、ＲＯＭメモリ、ＥＰＲＯＭメモリ、ＥＥＰＲＯＭメモリ、レジスター、ハードディスク、移動式ディスク、ＣＤ−ＲＯＭ、または、当分野に公知のまた他の形態の格納媒体に存在することができる。このような格納媒体は、プロセッサが該格納媒体から情報を読み取り、情報を書き込むことができるように、該プロセッサに接続される。他の方法として、格納媒体をプロセッサに統合することもできる。
【００９６】
本明細書に開示された実施形態に係る方法、プロセス、またはアルゴリズムの工程は、ハードウエアにより、プロセッサで実行されるソフトウェアにより、またはこの２つの組み合わせにより直接実現することができる。方法またはプロセスの多様な工程または動作は、説明順に実施することも、あるいはまた他の順序で実施することもできる。また、１つ以上のプロセスまたは方法工程を省略したり、１つ以上のプロセスまたは方法工程を該方法またはプロセスに付加することも可能である。方法またはプロセスの存在する構成要素の開始部分、終了部分、または中間部分に、付加的な工程、ブロック及び動作を付加することもできる。
【００９７】
本発明の実施形態について、当業者が容易に実施することができるように説明した。この実施形態に対する多様な変形は、当業者には容易に明らかとなり、本明細書に定義された一般的な原理は、本開示の精神や範囲から逸脱することなく他の実施形態に適用することができる。よって、本開示は本明細書に示された実施形態に限定されず、本明細書に開示された原理および新規の特徴と矛盾しない最も広い範囲と一致することが意図されている。
【図面の簡単な説明】
【００９８】
【図１】使用者の端末装置における階層的変調及び電力節減を統合した無線通信システムの実施形態の機能ブロック図である。
【図２Ａ】階層的変調手法の信号点配置（コンステレーション）図である。
【図２Ｂ】階層的変調手法の信号点配置（コンステレーション）図である。
【図２Ｃ】階層的コーディング変調とともに使用することができるブロックコーディング手法の実施形態のブロック図である。
【図３】階層的コーディング変調システムの伝送機の実施形態の機能ブロック図である。
【図４】階層的変調システムの動作のために構成される受信機の実施形態の機能ブロック図である。
【図５】階層的変調システムの動作のために構成される受信機の実施形態の機能ブロック図である。
【図６Ａ】電力節減を図る階層的デコーダの実施形態の機能ブロック図である。
【図６Ｂ】電力節減を図る階層的デコーダの実施形態の機能ブロック図である。
【図６Ｃ】電力節減を図る階層的デコーダの実施形態の機能ブロック図である。
【図６Ｄ】電力節減を図る階層的デコーダの実施形態の機能ブロック図である。
【図７】階層的変調のために構成された受信機の電力節減に関する方法の実施形態のフローチャートである。
【図１】
2008535409.tif 000003
【図２Ａ】
2008535409.tif 000004
【図２Ｂ】
2008535409.tif 000005
【図２Ｃ】
2008535409.tif 000006
【図３】
2008535409.tif 000007
【図４】
2008535409.tif 000008
【図５】
2008535409.tif 000009
【図６Ａ】
2008535409.tif 000010
【図６Ｂ】
2008535409.tif 000011
【図６Ｃ】
2008535409.tif 000012
【図６Ｄ】
2008535409.tif 000013
【図７】
2008535409.tif 000014
【国際調査報告】
2008535409.tif 000015
2008535409.tif 000016
2008535409.tif 000017